(57)【要約】【課題】異なる坪量区分けが設定された複数の画像形成装置の１つから印刷ジョブを出力する場合に、出力される記録紙に対応した坪量区分を設定できる印刷指示装置及びプログラムを提供する。【解決手段】印刷指示装置３は、選択対象の複数の画像形成装置４から各画像形成装置４に設定された記録用紙の坪量区分についての情報を取得する取得手段３００１と、前記取得した坪量区分についての情報から前記画像形成装置４に共通の坪量区分から構成される坪量区分けを生成する生成手段３００２とを有する。【選択図】図２
2018063508.tif 000002
【特許請求の範囲】
【請求項１】
選択対象の複数の画像形成装置から各画像形成装置に設定された記録用紙の坪量区分についての情報を取得する取得手段と、
前記取得した坪量区分についての情報から前記画像形成装置に共通の坪量区分から構成される坪量区分けを生成する生成手段と、
を有する印刷指示装置。
【請求項２】
前記生成した共通の坪量区分けをユーザの端末装置に提示する提示手段をさらに有する請求項１に記載の印刷指示装置。
【請求項３】
前記生成手段は、前記共通の坪量区分けに属する坪量区分を含み、各坪量区分の間に間隙及び重複がない坪量区分から構成される前記共通の坪量区分けを細分化した坪量区分けを生成する請求項１に記載の印刷指示装置。
【請求項４】
前記共通の坪量区分けを細分化した坪量区分けをユーザの端末装置に提示する提示手段をさらに有する請求項３に記載の印刷指示装置。
【請求項５】
ユーザによって直接入力された坪量に対応する坪量区分けを選択する選択手段をさらに有する請求項１〜４のいずれか１項に記載の印刷指示装置。
【請求項６】
コンピュータを、
選択対象の複数の画像形成装置から各画像形成装置に設定された記録用紙の坪量区分についての情報を取得する取得手段と、
前記取得した坪量区分についての情報から前記画像形成装置に共通の坪量区分から構成される坪量区分けを生成する生成手段として、
機能させるプログラム。
【発明の詳細な説明】
【技術分野】
【０００１】
本発明は、印刷指示装置及びプログラムに関する。
【背景技術】
【０００２】
従来、設定された印刷位置の調整値の適用する範囲を、プリンタ装置の機構的な個体差に対応させる印刷システムが提案されている（例えば、特許文献１参照）。
【０００３】
特許文献１に開示された印刷システムは、印刷実行の際に、選択された給紙手段に関連付けられている調整値を用いて印刷データを生成することにより、調整値と給紙手段とを関連付けることで、設定された印刷位置の調整値の適用する範囲を、プリンタ装置の機構的な個体差に対応させるようにしている。
【０００４】
また従来、任意の画像形成装置と連結された他の画像形成装置の紙種の差に基づき画像データを補正することにより、複数の画像形成装置で使用する紙の種類が異なることによる画質の差を低減する画像形成装置システムが提案されている（例えば、特許文献２参照）。
【０００５】
特許文献２に開示された画像形成装置システムは、複数の画像形成装置がネットワーク接続された画像形成装置システムにおいて、ある画像形成装置で使用される給紙段にある紙の紙種情報を、他の画像形成装置に画像データとともに転送し、他の画像形成装置において、ある画像形成装置で使われる紙の種類と他の画像形成装置で使用する紙の種類の差を得て、紙種間の差異に基づき、ある画像形成装置から転送された画像データに対する補正値を演算するようにしている。
【先行技術文献】
【特許文献】
【０００６】
【特許文献１】特開２００５−１００２３４号公報
【特許文献２】特開２００３−２７１０１７号公報
【発明の概要】
【発明が解決しようとする課題】
【０００７】
本発明の目的は、異なる坪量区分けが設定された複数の画像形成装置の１つが印刷ジョブを実行する場合に、出力される記録紙に対応した坪量区分を設定することができる印刷指示装置及びプログラムを提供することにある。
【課題を解決するための手段】
【０００８】
［１］選択対象の複数の画像形成装置から各画像形成装置に設定された記録用紙の坪量区分についての情報を取得する取得手段と、
前記取得した坪量区分についての情報から前記画像形成装置に共通の坪量区分から構成される坪量区分けを生成する生成手段と、を有する印刷指示装置。
［２］前記生成した共通の坪量区分けをユーザの端末装置に提示する提示手段をさらに有する前記［１］に記載の印刷指示装置。
［３］前記生成手段は、前記共通の坪量区分けに属する坪量区分を含み、各坪量区分の間に間隙及び重複がない坪量区分から構成される前記共通の坪量区分けを細分化した坪量区分けを生成する前記［１］に記載の印刷指示装置。
［４］前記共通の坪量区分けを細分化した坪量区分けをユーザの端末装置に提示する提示手段をさらに有する前記［３］に記載の印刷指示装置。
［５］ユーザによって直接入力された坪量に対応する坪量区分けを選択する選択手段をさらに有する前記［１］〜［４］のいずれかに記載の印刷指示装置。
［６］コンピュータを、
選択対象の複数の画像形成装置から各画像形成装置に設定された記録用紙の坪量区分についての情報を取得する取得手段と、
前記取得した坪量区分についての情報から前記画像形成装置に共通の坪量区分から構成される坪量区分けを生成する生成手段として、機能させるプログラム。
【発明の効果】
【０００９】
請求項１、６に係る発明によれば、異なる坪量区分けが設定された複数の画像形成装置の１つから印刷ジョブを出力する場合に、出力される記録紙に対応した坪量区分を設定することができる。
請求項２に係る発明によれば、提示された共通の坪量区分けにより、ユーザは正しい坪量区分を設定することができる。
請求項３に係る発明によれば、より詳しい坪量区分けを設定することができる。
請求項４に係る発明によれば、提示された坪量区分けにより、ユーザはより細かな坪量区分の設定をすることができる。
請求項５に係る発明によれば、ユーザが坪量を直接入力するとそれに応じて適切な坪量区分が選択される。
【図面の簡単な説明】
【００１０】
【図１】図１は、本発明の第１の実施の形態に係る印刷指示システムの概略を示す構成図である。
【図２】図２は、本発明の第１の実施の形態に係る端末装置の概略を示す構成図である。
【図３】図３は、本発明の第１の実施の形態に係る画像形成装置の概略を示す構成図である。
【図４】図４は、第１の実施の形態の印刷指示システムの動作の一例を示すフローチャートである。
【図５】図５は、各画像形成装置に共通な坪量区分けの作成例を示す説明図である。
【図６】図６は、ユーザが坪量区分を指定するＵＩの表示画面の一例を示す説明図である。
【図７】図７は、ユーザが画像形成装置を指定するＵＩの表示画面の一例を示す説明図である。
【図８】図８は、ユーザが画像形成装置を選択するＵＩの表示画面の一例を示す説明図である。
【図９】図９は、本発明の第２の実施の形態に係る印刷指示システムの概略を示す構成図である。
【図１０】図１０は、本発明の第２の実施の形態に係る情報処理装置の概略を示す構成図である。
【図１１】図１１は、本発明の第２の実施の形態に係る端末装置の概略構成を示す構成図である。
【図１２】図１２は、本発明の第２の実施の形態に係る画像形成装置の概略を示す構成図である。
【図１３】図１３は、第２の実施の形態の印刷指示システムの動作の一例を示すフローチャートである。
【発明を実施するための形態】
【００１１】
［第１の実施の形態］
（印刷指示システムの構成）
図１は、本発明の第１の実施の形態に係る印刷指示システムの概略を示す構成図である。図１に示すように、本実施の形態の印刷指示システム１は、端末装置３と複数の画像形成装置４ａ、４ｂ、４ｃがネットワーク５に接続されて構成されている。詳しくは後で説明するが、本実施の形態では、端末装置３は印刷指示装置の一例である。
【００１２】
端末装置３は、ユーザが使用するものであり、ユーザは端末装置３で印刷ジョブを作成して画像形成装置４ａ、４ｂ、４ｃからどれかひとつを選択して印刷ジョブを転送して印刷を行う。なお、以下では、複数の画像形成装置４ａ、４ｂ、４ｃを１つで代表させて単に画像形成装置４ということもある。
【００１３】
（端末装置の構成）
図２は、本実施の形態に係る端末装置の概略を示す構成図である。図２に示すように、本実施の形態の端末装置３は、制御部３０、記憶部３１、外部インターフェイス（外部Ｉ／Ｆ）３２、ユーザインターフェイス（ＵＩ）３３及びアプリケーション３４等を有して構成されている。
【００１４】
制御部３０は、ＣＰＵ等から構成され、各部を制御するとともに各種のプログラムを実行する。制御部３０は、印刷制御手段３００、印刷ジョブ出力手段３０１を含んで構成されている。また、印刷制御手段３００は、坪量区分情報取得手段３００１、坪量区分け生成手段３００２、坪量区分け提示手段３００３及び印刷ジョブ生成手段３００４を含んでいる。
【００１５】
記憶部３１は、ハードディスクやフラッシュメモリ等の記録媒体から構成され、様々な情報を記憶するものであり、プログラム３１０、坪量区分情報記憶部３１１、坪量区分け記憶部３１２及び印刷ジョブ記憶部３１３等を有している。プログラム３１０は、制御部３０を印刷制御手段３００、印刷ジョブ出力手段３０１として機能させるものである。
【００１６】
坪量区分情報取得手段３００１は、各画像形成装置４から各画像形成装置４に設置されている記録用紙の坪量区分についての情報を取得するものである。ここで、「坪量区分についての情報」とは、画像形成装置４の各トレイに設定されている記録用紙の坪量の範囲を例えば（９０−１２２）［ｇ／ｍ２］のように数値で示したものである。なお、以下では坪量区分についての情報を、単に「坪量区分情報」ともいう。
【００１７】
坪量区分け生成手段３００２は、取得した各画像形成装置４の坪量区分けが異なる場合に、各画像形成装置４に共通した坪量区分け、及びこれらをさらに細分化した坪量区分けを生成するものである。ここである「坪量区分けの細分化」とは、その坪量区分けに属する坪量区分を含み、さらに、これらに新たな坪量区分を追加して、全体で各坪量区分の間に間隙及び重複のない坪量区分けを構成するものである。
【００１８】
また、坪量区分け提示手段３００３は、生成した坪量区分けをＵＩ３３に表示することによりユーザに提示するものである。すなわち、坪量区分け提示手段３００３は、生成した共通の坪量区分け及びその細分化である坪量区分けをユーザに提示する提示手段に相当する。このように、坪量区分情報取得手段３００１、坪量区分け生成手段３００２及び坪量区分け提示手段３００３を含んで構成される印刷制御手段３００を有する端末装置３は、印刷指示装置の一例となっている。
【００１９】
また、印刷ジョブ生成手段３００４は、印刷ジョブを生成するものであり、印刷ジョブ出力手段３０１は、生成した印刷ジョブを画像形成装置４に出力するものである。
【００２０】
（画像形成装置の構成）
図３は、本発明の実施の形態に係る画像形成装置４の概略を示す構成図である。図３に示すように、画像形成装置４は、制御部４０、記憶部４１、外部インターフェイス（外部Ｉ／Ｆ）４２、ユーザインターフェイス（ＵＩ）４３及び印刷機能部４４等を有して構成されている。
【００２１】
制御部４０は、ＣＰＵ等から構成され、各部を制御するとともに各種のプログラムを実行する。制御部４０は、印刷ジョブ受付手段４０１、画像描画手段４０２、印刷出力手段４０３及び出力トレイ選択手段４０４等を含んで構成される。記憶部４１は、プログラム４１０、坪量区分情報４１１及び印刷ジョブ記憶部４１２等を含んで構成される。
【００２２】
印刷ジョブ受付手段４０１は、ユーザが端末装置３から送信した印刷ジョブを外部Ｉ／Ｆ４２を介して受け取るものである。出力トレイ選択手段４０４は、詳しくは後述するが印刷ジョブに指定された坪量区分に対応する記録用紙が設置されたトレイを選択するものである。
【００２３】
画像描画手段４０２は、印刷指示から印刷機能部４４が印刷可能な描画データを作成するものである。印刷出力手段４０３は、画像描画手段４０２が作成した描画データを印刷機能部４４に出力するものである。印刷機能部４４は、印刷指示を実際に印刷するものであり、例えば電子写真方式、インクジェット方式等により用紙等の記録媒体に文書データを印刷して出力する。
【００２４】
（第１の実施の形態の動作）
次に、第１の実施の形態の印刷指示システムの動作を説明する。図４は、第１の実施の形態の印刷指示システムの動作の一例を示すフローチャートである。以下、図４のフローチャートに沿って第１の実施の形態の動作を説明する。
【００２５】
まず、印刷を行おうとしたユーザが、端末装置３のＵＩ３３を介して指示をすると、印刷制御手段３００の坪量区分情報取得手段３００１は、各画像形成装置４から各画像形成装置４に設置されている記録用紙の坪量区分情報を取得する（Ｓ１００）。取得した坪量区分情報は記憶部３１の坪量区分情報記憶部３１１に記憶される。
【００２６】
次に、坪量区分け生成手段３００２は、取得された坪量区分情報から各画像形成装置４に共通する坪量区分けを生成する（Ｓ１０１）。
【００２７】
図５に、各画像形成装置４ａ、４ｂ、４ｃに共通な坪量区分けの作成例を示す。図５に示すように、画像形成装置４ａの坪量区分けは、厚紙（９０−１２２）、厚紙（１２３−１６６）、厚紙（１６７−２２）と３つの坪量区分に分かれている。ここで、坪量（つぼりょう）とは、単位当たりの用紙の重量を表す単位［ｇ／ｍ2］であり、例えば、一般的なコピー用紙の坪量は６４〜６８［ｇ／ｍ2］である。
【００２８】
画像形成装置４ａにおいては、坪量区分（１２３−１６６）の厚紙がトレイ３に設定され、坪量区分（１６７−２２２）の厚紙がトレイ４に設定され、また、坪量区分（９０−１２２）の厚紙はこの時点ではトレイに設定されていない。
【００２９】
画像形成装置４ｂにおける坪量区分けは、厚紙（９０−１０６）、厚紙（１０７−１６６）、厚紙（１６７−２２２）であり、坪量区分（９０−１０６）の厚紙がトレイ１に設定され、坪量区分（１０７−１６６）の厚紙がトレイ３に設定され、坪量区分（１６７−２２２）の厚紙がトレイ５に設定されている。
【００３０】
また画像形成装置４ｃにおける坪量区分けは、厚紙（９０−１２２）、厚紙（１２３−１７７）、厚紙（１７８−２５０）であり、坪量区分（９０−１２２）の厚紙がトレイ２に設定され、坪量区分（１２３−１７７）の厚紙がトレイ３に設定され、坪量区分（１７８−２５０）の厚紙がトレイ４に設定されている。
【００３１】
このとき、坪量区分け生成手段３００２によって生成された各画像形成装置４ａ、４ｂ、４ｃに共通の坪量区分けは、厚紙（９０−１０６）という坪量区分Ｋ１、厚紙（１２３−１６６）という坪量区分Ｋ３、及び厚紙（１７８−２２２）という坪量区分Ｋ５とからなる。
【００３２】
またさらに、ここでの最小の坪量９０と最大の坪量２５０の間を、坪量区分の間に間隙及び重複なく細分化したものが、上の共通の坪量区分けに、厚紙（１０７−１２２）という坪量区分Ｋ２、厚紙（１６７−１７７）という坪量区分Ｋ４及び厚紙（２２３−２５０）という坪量区分Ｋ６を加えた、坪量区分けＫ１〜Ｋ６となる。
【００３３】
生成された共通の坪量区分けあるいはその細分化が、ＵＩ３３を介してユーザに提示される（Ｓ１０２）。
【００３４】
次にユーザは、ＵＩ３３を介して坪量区分と画像形成装置を指定する（Ｓ１０３）。図６に、ユーザが坪量区分を指定するＵＩ３３の表示画面の一例を示す。今、ユーザは厚紙に印刷するために手差し用紙を設定するものとする。
【００３５】
図６のＵＩ３３の表示画面５０には手差し設定の設定画面が表示されている。そこで、今、手差し用紙種類として普通紙５１が設定されているが、その右のボタン５２をクリックすると上で生成された細分化された坪量区分けＫ１〜Ｋ６を示す画面５３が表示される。特に、この画面５３には、一番上に坪量区分の指定がない単なる厚紙という選択肢も含まれているが、これについては後で説明する。例えば、ユーザは、ここで厚紙（１６７−１７７）という坪量区分Ｋ４を指定したとする。
【００３６】
また、図７に画像形成装置４ａ〜４ｃを指定するＵＩ３３の表示画面を示す。図７の表示画面６０において、デバイス設定ボタン６１を押すと、図８に示すような機種選択の表示画面７０が表示される。ユーザはこの表示画面７０に表示された機種のうち有効な３機種７１から一つを選択することで画像形成装置４ａ〜４ｃの中から一つを指定する。今、ユーザは画像形成装置４ａを指定したとする。
【００３７】
印刷ジョブ生成手段３００４は、ユーザが指定した坪量区分Ｋ４を含む印刷ジョブを生成する（Ｓ１０４）。印刷ジョブ出力手段３０１は、生成された印刷ジョブを画像形成装置４ａに送信する（Ｓ１０５）。
【００３８】
画像形成装置４ａの印刷ジョブ受付手段４０１が印刷ジョブを受信すると、画像描画手段４０２により描画データが生成され、印刷出力手段４０３より印刷機能部４４に出力される。このとき、出力トレイ選択手段４０４により、印刷ジョブで指定された厚紙（１６７−１７７）の坪量区分Ｋ４に対して、画像形成装置４ａに設定されている坪量区分である厚紙（１６７−２２２）が対応づけられ、トレイ４が選択される（Ｓ１０６）。そして、適切なパラメータで印刷が行われる（Ｓ１０７）。
【００３９】
［第２の実施の形態］
次に、本発明の第２の実施の形態について説明する。第２の実施の形態は、プリンタからの印刷要求に応じて、サーバ等に一時蓄積されていた印刷ジョブを出力する所謂オンデマンドプリントシステムに本発明を適用したものである。このようなシステムでは、異なる機種のプリンタが混在していても、そのプリンタドライバをサーバで一括管理することで、各ユーザが複数のプリンタを利用することが容易となる。しかし、このようなシステムにおいては、印刷開始時には出力先のプリンタ機種が決まっておらず、さらに、それぞれの機種に設定されている坪量区分けが異なる場合がある。第２の実施の形態は、このような場合に、適切な坪量区分けをユーザに提示するようにするものである。
【００４０】
（印刷指示システムの構成）
図９は、本発明の第２の実施の形態に係る印刷指示システムの概略を示す構成図である。図９に示すように、第２の実施の形態の印刷指示システム１１は、情報処理装置１２と端末装置１３と複数の画像形成装置１４ａ、１４ｂ、１４ｃがネットワーク５に接続されて構成されている。なお、以下では、複数の画像形成装置１４ａ、１４ｂ、１４ｃを単に画像形成装置１４と表現することもある。第２の実施の形態において、情報処理装置１２は、印刷指示装置の一例である。
【００４１】
端末装置１３は、各ユーザが使用するものであり、情報処理装置１２は、ユーザの端末装置１３から送信された印刷ジョブをユーザが利用可能な画像形成装置１４に転送するものである。複数の画像形成装置１４は、情報処理装置１２から印刷ジョブを受け取って、印刷を行う。
【００４２】
（情報処理装置の構成）
図１０は、第２の実施の形態に係る情報処理装置１２の概略を示す構成図である。図１０に示すように、情報処理装置１２は、制御部１２０、記憶部１２１、外部Ｉ／Ｆ１２２及びＵＩ１２３等を有して構成されている。
【００４３】
制御部１２０は、ＣＰＵ等から構成され、各部を制御するとともに各種のプログラムを実行する。制御部１２０は、印刷制御手段１２００と印刷ジョブ出力手段１２０５を有し、印刷制御手段１２００は、坪量区分情報取得手段１２０１、坪量区分け生成手段１２０２、坪量区分け提示手段１２０３及び坪量区分設定手段１２０４を有している。
【００４４】
記憶部１２１は、ハードディスクやフラッシュメモリ等の記録媒体から構成され、様々な情報を記憶するものであり、プログラム１２１０、坪量区分情報記憶部１２１１、坪量区分け記憶部１２１２及び印刷ジョブ蓄積部１２１３を含んでいる。プログラム１２１０は、制御部１２０を印刷制御手段１２００、印刷ジョブ出力手段１２０５等として機能させるものである。
【００４５】
外部Ｉ／Ｆ１２２は、ネットワーク５を介して端末装置１３や画像形成装置１４及びその他の外部の機器と通信を行うものである。
【００４６】
坪量区分情報取得手段１２０１は、各画像形成装置４から各画像形成装置４に設置されている記録用紙の坪量区分情報を取得するものである。坪量区分け生成手段１２０２は、取得した各画像形成装置４の坪量区分けが異なる場合に、各画像形成装置４に共通した坪量区分け、及びこれらをさらに細分化した坪量区分けを生成するものである。坪量区分け提示手段１２０３は、生成した坪量区分けを端末装置３に送信してユーザに提示するものである。すなわち、坪量区分情報取得手段１２０１、坪量区分け生成手段１２０２、坪量区分け提示手段１２０３を含んで構成される印刷制御手段１２００は情報処理装置１２に配置されている。このように、第２の実施の形態においては、情報処理装置１２は印刷指示装置の一例となっている。
【００４７】
また、坪量区分設定手段１２０４は、ユーザが選択した坪量区分を印刷ジョブに設定するものであり、印刷ジョブ出力手段１２０５は、画像形成装置１４から印刷指示のあった印刷ジョブを画像形成装置１４に送信するものである。
【００４８】
記憶部１２１の坪量区分情報記憶部１２１１は、坪量区分情報取得手段１２０１が取得した坪量区分情報を記憶するものである。また、坪量区分け記憶部１２１２は、坪量区分け生成手段が生成した各画像形成装置４に共通の坪量区分けを記憶するものである。また、印刷ジョブ蓄積部１２１３は、端末装置１３から送信された印刷ジョブを蓄積するものである。
【００４９】
（端末装置の構成）
図１１は、本発明の第２の実施の形態に係る端末装置１３の概略を示す構成図である。図１１に示すように、端末装置１３は、制御部１３０、記憶部１３１、外部Ｉ／Ｆ１３２、ＵＩ１３３及びアプリケーション１３４を含んで構成されている。
【００５０】
制御部１３０は、坪量区分設定手段１３０１、坪量入力手段１３０２、印刷ジョブ生成手段１３０３及び印刷ジョブ出力手段１３０４等を有している。記憶部１３１は、プログラム１３１０及び印刷ジョブ記憶部１３１１等を有している。
【００５１】
坪量区分設定手段１３０１は、ユーザがこれから印刷しようとする記録紙の坪量区分をＵＩ１３３を介して設定するものである。また、坪量入力手段１３０２は、ユーザが記録紙の坪量の数値をＵＩ１３３を介して直接入力するものである。
【００５２】
（画像形成装置の構成）
図１２は、本発明の第２の実施の形態に係る画像形成装置の概略を示す構成図である。図１２に示すように、画像形成装置１４は、制御部１４０、記憶部１４１、外部Ｉ／Ｆ１４２、ＵＩ１４３及び印刷機能部１４４を有して構成されている。
【００５３】
制御部１４０は、印刷ジョブ選択／決定手段１４００、印刷ジョブ受付手段１４０１、画像描画手段１４０２、印刷出力手段１４０２を有している。また、記憶部１４１は、プログラム１４１０、坪量区分情報１４１１及び印刷ジョブ記憶部１４１２を有している。
【００５４】
第２の実施の形態の画像形成装置１４は、前述した第１の実施の形態の画像形成装置４と略同様であるが、第２の実施の形態においては、ユーザが画像形成装置１４から情報処理装置１２に蓄積されている印刷ジョブの中から印刷する印刷ジョブを指定するための印刷ジョブ選択／決定手段１４００を制御部１４０が有している点が異なる。
【００５５】
（第２の実施の形態の動作）
次に、第２の実施の形態の印刷指示システムの動作を説明する。図１３は、第２の実施の形態の印刷指示システムの動作の一例を示すフローチャートである。以下、図１３のフローチャートに沿って第２の実施の形態の動作を説明する。
【００５６】
まず、ユーザが、端末装置１３のＵＩ１３３を介して指示をすると、その指示は外部Ｉ／Ｆ１３２を通じて情報処理装置１２に伝えられ、印刷制御手段１２００の坪量区分情報取得手段１２０１が各画像形成装置１４から各画像形成装置１４に設置されている記録用紙の坪量区分情報を取得する（Ｓ２００）。取得した坪量区分情報は記憶部１２１の坪量区分情報記憶部１２１１に記憶される。
【００５７】
次に、坪量区分け生成手段１２０２は、取得された坪量区分情報から各画像形成装置１４に共通する坪量区分けを生成する（Ｓ２０１）。ここで、各画像形成装置１４ａ、１４ｂ、１４ｃに設定されている坪量区分けは前述した第１の実施の形態の画像形成装置４ａ、４ｂ、４ｃと同じであり、生成される共通の坪量区分けも図５に示すものであるとする。
【００５８】
次に、坪量区分け提示手段１２０３により、生成された共通の坪量区分けあるいはその細分化が、外部Ｉ／Ｆ１２２を介して端末装置１３に送信され、端末装置１３のＵＩ１３３を介してユーザに提示される（Ｓ２０２）。
【００５９】
次にユーザは、ＵＩ１３３を介して坪量区分を指定する（Ｓ２０３）。坪量区分の指定も第１の実施の形態と同様であり、例えば、図６に示すようなＵＩ１３３の表示画面からユーザが厚紙（１６７−１７７）の坪量区分Ｋ４を指定したとする。
【００６０】
印刷ジョブ生成手段１３０３は、この坪量区分Ｋ４を指定した印刷ジョブを生成する（Ｓ２０４）。生成された印刷ジョブは印刷ジョブ出力手段１３０４によって外部Ｉ／Ｆ１３２を介して情報処理装置１２に送信され、印刷ジョブ蓄積部１２１３に蓄積される（Ｓ２０５）。
【００６１】
次に、ユーザは実際に印刷をするために、画像形成装置１４ａの印刷ジョブ選択／決定手段１４００からＵＩ１２３を介して、情報処理装置１２に蓄積されている印刷ジョブの中から印刷する印刷ジョブを選択する（Ｓ２０６）。
【００６２】
そして、画像形成装置１４ａの印刷ジョブ受付手段１４０１により、情報処理装置１２から印刷ジョブが取得される（Ｓ２０７）。取得された印刷ジョブから画像描画手段１４０２により描画データが生成され、印刷出力手段１４０３より印刷機能部１４４に出力される。このとき、出力トレイ選択手段１４０４により、印刷ジョブで指定された厚紙（１６７−１７７）の坪量区分Ｋ４に対して、画像形成装置１４ａに設定されている坪量区分である厚紙（１６７−２２２）が対応づけられ、トレイ４が選択される（Ｓ２０８）。そして、適切なパラメータで印刷が行われる（Ｓ２０９）。
【００６３】
なお、上記実施の形態において、ユーザが印刷ジョブの坪量区分を指定する際、例えば図６に示すように、提示された坪量区分けの中から、具体的に坪量の範囲が表示された坪量区分を指定していたが、図６の画面５３の一番上に表示されている坪量区分のない、単なる「厚紙」という区分を指定してもよい。
【００６４】
このように坪量区分のない「厚紙」を指定して、印刷指示した場合には、厚紙坪量指定なしの印刷ジョブが生成される。このとき、厚紙坪量指定なしの印刷ジョブを受信した画像形成装置４においては、厚紙坪量指定なし時の優先順位が登録されており、その優先順位に従って処理される。
【００６５】
例えば、図５に示されるような坪量区分が設定された画像形成装置４ａにおいて、厚紙（１２３−１６６）が設定されているトレイ３が優先順位１で、厚紙（１６７−２２２）が設定されているトレイ４が優先順位２であったとする。
【００６６】
このとき、画像形成装置４ａが印刷ジョブを受信したとすると、坪量指定なしの「厚紙」は、上記優先順位を元に、厚紙（１２３−１６６）に設定され、適切なパラメータでトレイ３から印刷出力される。
【００６７】
また、上記優先順位はこのように画像形成装置４側で設定されるものに限定されず、印刷制御手段１２００あるいは３００で設定可能としてもよい。印刷制御手段１２００あるいは３００側で優先順位を設定した場合には、この優先順位が画像形成装置４に設定されているものよりも優先される。
【００６８】
また、この優先順位は、各画像形成装置４のトレイで優先順位を決めておいてもよいし、トレイの用紙残量が多い順に優先順位を決めるようにしてもよい。
【００６９】
また、坪量区分け生成手段１２０２あるいは３００２が生成した共通の坪量区分けを提示する際、図６の画面５３のように、細分化された坪量区分けを表示してもよいし、各画像形成装置４ａ、４ｂ、４ｃに共通の坪量区分Ｋ１、Ｋ３、Ｋ５を表示するようにしてもよい。
【００７０】
また、図７に示すように画像形成装置４を指定してから、手差し用紙種類を指定するようにしてもよい。このとき、指定された画像形成装置４に設定されている厚紙の坪量区分のみを表示するようにしてもよい。
【００７１】
（変形例）
次に、第２の実施の形態の変形例について説明する。これは、上記第２の実施の形態のように、提示された共通の坪量区分けの中からユーザが坪量区分を選択するのではなく、ユーザが坪量の数値を直接入力するものである。
【００７２】
図１３のフローチャートのステップＳ２０３において、ユーザがＵＩ１３３を介して、例えば図６に示すような共通の坪量区分けから坪量区分を指定する際、このように提示された共通の坪量区分けから坪量区分を選択するのではなく、ユーザは坪量の数値を直接入力する。
【００７３】
これは例えば、ユーザが印刷しようとする記録紙の坪量を知っているような場合が考えられる。ユーザはＵＩ１３３を介して、坪量の数値を坪量入力手段１３０２から直接入力する。
【００７４】
坪量入力手段１３０２は、入力された坪量数値を印刷ジョブ生成手段１３０３に渡す。印刷ジョブ生成手段１３０３は、坪量数値が設定された印刷ジョブを生成する。坪量数値が設定された印刷ジョブは、情報処理装置１２に送信され、情報処理装置１２の印刷ジョブ蓄積部１２１３に蓄積される。
【００７５】
ユーザが印刷を行う際には、画像形成装置１４から情報処理装置１２に印刷指示を出し、情報処理装置１２に蓄積されている印刷ジョブの中から対象の印刷ジョブを取得する。
【００７６】
このとき、情報処理装置１２の坪量区分情報取得手段１２０１は、印刷指示を発行した画像形成装置１４の坪量区分情報を取得し、坪量区分設定手段１２０４は、印刷ジョブに設定されている坪量数値に対応する適切な坪量区分を設定する。例えば、入力された坪量数値を含む坪量区分があれば、それが設定される。また、坪量数値を含む坪量区分がない場合には、その坪量数値が最も近い坪量区分が設定される。また、坪量数値を含む坪量区分がない場合には、印刷出力を行わないとして、その旨をユーザに示すようにしてもよい。
【００７７】
なお、この印刷ジョブに設定されている坪量数値に対応する適切な坪量区分の設定は、情報処理装置１２側ではなく、画像形成装置１４側に、坪量数値に対応する坪量区分を設定する坪量区分設定手段を設けて、画像形成装置１４において行うようにしてもよい。
【００７８】
また、上のように、情報処理装置１２は、画像形成装置１４から印刷指示を受けてから画像形成装置１４の坪量区分情報を取得するのではなく、予め各画像形成装置１４から坪量区分情報を取得して坪量区分情報記憶部１２１１に記憶しておいて、ここから印刷指示のあった画像形成装置１４の坪量区分情報を用いるようにしてもよい。
【００７９】
直接入力された坪量の数値に対応する坪量区分が設定された印刷ジョブは、出力トレイ選択手段１４０４により、その坪量区分に対応するトレイが選択され、印刷機能部１４４において、適切な印刷制御パラメータを使用して印刷が実施される。
【００８０】
また、坪量の数値を直接入力する坪量入力手段１３０２は、数値が未入力であってもそれを許容するようにしてもよい。その場合には、画像形成装置１４から坪量数値が未入力の印刷ジョブの印刷指示を受けた情報処理装置１２の坪量設定手段１２０４がユーザに対して坪量の指定を行わせるようにしてもよい。
【００８１】
なお、上述したように本実施の形態の画像処理システム１１では、情報処理装置１２の坪量区分け生成手段１２０２で各画像形成装置１４に共通の坪量区分けを生成し、生成した共通の坪量区分けは坪量区分け記憶部１２１２に保存されている。
【００８２】
印刷指示システム１１に接続されている画像形成装置１４に新たな機種が追加されるなどにより、機種構成が変化した場合には、再度、各画像形成装置１４から坪量区分けを取得して共通の坪量区分けが生成される。このとき、再度生成された共通の坪量区分けが、上記保存されている共通の坪量区分けから変化している場合には、上記保存されている坪量の指定を数値未入力の設定に変更するようにしてもよい。
【００８３】
以上、本発明の実施の形態を説明して来たが、本発明は上記実施の形態には限定されず、本発明の趣旨を逸脱しない範囲で種々な変形が可能である。例えば、上記実施の形態では、プログラム３１０を端末装置３の記憶部３１に格納し、プログラム１２１０を情報処理装置１２の記憶部１２１に格納していたが、プログラム３１０あるいは１２１０をＣＤ−ＲＯＭ等の記録媒体に記憶して提供するようにしてもよい。
【００８４】
また、制御部３０、１２０を構成する各部は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【符号の説明】
【００８５】
１、１１  印刷指示システム、
３、１３  端末装置、
４、４ａ、４ｂ、４ｃ、１４、１４ａ、１４ｂ、１４ｃ  画像形成装置、
５  ネットワーク、
１２  情報処理装置、
３０、４０、１２０、１３０、１４０  制御部、
３１、４１、１２１、１３１、１４１  記憶部、
３２、４２、１２２、１３２、１４２  外部Ｉ／Ｆ、
３３、４３、１２３、１３３、１４３  ＵＩ、
３４、１３４  アプリケーション、
４４、１４４  印刷機能部、
３００、１２００  印刷制御手段、
３０１、１２０５、１３０４  印刷ジョブ出力手段、
３１０、４１０、１２１０、１３１０、１４１０  プログラム、
３１１、１２１１  坪量区分情報記憶部、
３１２、１２１２  坪量区分け記憶部、
３１３、４１２、１３１１、１４１２  印刷ジョブ記憶部、
４０１、１４０１  印刷ジョブ受付手段、
４０２、１４０２  画像描画手段、
４０３、１４０３  印刷出力手段、
４０４、１４０４  出力トレイ選択手段、
４１１、１４１１  坪量区分情報、
１２１３  印刷ジョブ蓄積部、
１２０１、３００１  坪量区分情報取得手段、
１２０２、３００２  坪量区分け生成手段、
１２０３、３００３  坪量区分け提示手段、
１２０４、１３０１  坪量区分設定手段、
１３０２  坪量入力手段、
１３０３、３００４  印刷ジョブ生成手段、
１４００  印刷ジョブ選択／決定手段、
【図１】
2018063508.tif 000003
【図２】
2018063508.tif 000004
【図３】
2018063508.tif 000005
【図４】
2018063508.tif 000006
【図５】
2018063508.tif 000007
【図６】
2018063508.tif 000008
【図７】
2018063508.tif 000009
【図８】
2018063508.tif 000010
【図９】
2018063508.tif 000011
【図１０】
2018063508.tif 000012
【図１１】
2018063508.tif 000013
【図１２】
2018063508.tif 000014
【図１３】
2018063508.tif 000015